(57)【特許請求の範囲】
【請求項１】
充填すべき製品を収容するプラスチックコンテナー（２、2'）が外側を板紙製の密着するスリーブ（３、3'）により包囲され、少なくとも一部に板紙ジャケット（３、3'）用の上部保持用ショルダー（７、7'）を有してなる液体または易流動性微細顆粒などの流動性製品用プラスチックコンテナー包装（１、1'）において、該プラスチックコンテナー（２、2'）の上側保持用ショルダー（７、7'）の下方に、板紙ジャケット（３、3'）の下縁部に対応する保持用ショルダー（１０）を形成する係止用傾斜部（９）、及び、コンテナーの上部保持縁部の領域に、板紙ジャケット（3'）のフラップ（14、14a）に対応する凹部（13）が設けられており、板紙ジャケット（3'）のフラップ（14、14a）を折り曲げて板紙ジャケット（３、3'）を該係止用傾斜部（９）上に押し込むことにより、使用状態において、該板紙ジャケット（３、3'）が保持用ショルダー（１０）と上側保持用ショルダー（７、7'）との間に保持され、それぞれ内向きに形成されている凹部（13）は、コンテナー（2'）の上側保持用ショルダー（7'）の領域においてスリーブ（3'）により覆われる側表面の部分に設けられており、内側を向いて形成されている凹部（13）の下縁部によって係止用傾斜部および保持用ショルダー（10'）が形成され、スリーブ（3'）は裏側表面に凹部（13）に対応するフラップ（14、14a）を有することを特徴とするプラスチックコンテナー包装。
【請求項２】
係止用傾斜部（９）が、プラスチックコンテナー（２）の側壁部（2a）から底部（８）にかけての領域に位置することを特徴とする請求項１記載のプラスチックコンテナー包装。
【請求項３】
プラスチックコンテナー（２）の断面が非円形であり、コンテナーのコーナー部分（11）から離れた平坦な表面の領域に係止用傾斜部（９）が設けられていることを特徴とする請求項１または２記載のプラスチックコンテナー包装。
【請求項４】
プラスチックコンテナー（２）の断面が実質的に正方形または長方形であることを特徴とする請求項３記載のプラスチックコンテナー包装。
【請求項５】
使用状態において、紙製スリーブ（３）がプラスチックコンテナー（２）のコーナー部分を覆う領域に、刻線および／または溝（12）を有することを特徴とする請求項１〜４のいずれかに記載のプラスチックコンテナー包装。
【請求項６】
コンテナー（２）の底部（８）が先細りになるかまたは丸みを帯びており、その先細りになるかまたは丸みを帯びている領域に係止用傾斜部が設けられていることを特徴とする請求項１〜５のいずれかに記載のプラスチックコンテナー包装。
【請求項７】
係止用傾斜部（９）が、使用状態において、板紙スリーブ（３）の下縁部をわずかに越えて突出する鼻状突起（10a）または隆起状に設けられている請求項１〜６のいずれかに記載のプラスチックコンテナー包装。
【請求項８】
係止用傾斜部が、櫛の形態に配される複数の歯状突起（9a）から形成される請求項１〜７のいずれかに記載のプラスチックコンテナー包装。
【請求項９】
スリーブ（3'）は、少なくともコンテナー（2'）の底部（8'）の近くまで延びていることを特徴とする請求項１〜８のいずれかに記載のプラスチックコンテナー包装。
【請求項１０】
スリーブ（３、3'）の接着フラップ（４）の一部の外縁部に接着剤を付けない部分を残して引き裂き用コーナー部（15）を形成する請求項３〜９のいずれかに記載のプラスチックコンテナー包装。
【発明の詳細な説明】
本発明は、液体または易流動性の微細顆粒などの流動性製品のためのプラスチックコンテナー包装に関し、充填すべき製品を収容するプラスチックコンテナーは、外側を板紙または紙製の密着するスリーブにより包囲されており、少なくとも一部に板紙ジャケット用の上部保持縁部を有してなる。
二部品からなる流動性製品用の包装、即ち、液体を収容する、例えばプラスチックの瓶などの内側のプラスチックコンテナーと、例えば印刷表面などの種々の利用法を有する外側の板紙ジャケットとからなる包装は多数知られている。
この種の包装の一つが、例えば本出願人によるドイツ国特許出願公開第39 21 258号に記載されている。この包装により、プラスチックコンテナー自体にエレメントを取り付けることを避けることができる。米国特許第3,567,104号も二部品包装を記載しており、それは大部分を占めるプラスチックコンテナーが自立することができないので、ジャケットが立たせる機能を担っている。米国特許第3,160,326号は、この種の二部品包装の一部のコンテナーが自立性および運搬用ハンドル機能を有し、板紙が内側コンテナーを完全に包囲していることを述べており、またドイツ国特許第193 757号は、保護ハウジングを備えた容器を開示しており、その容器は瓶またはジャーであり、保護ハウジングは例えばプレスした紙製成形品からなる。どちらの容器の器壁エレメントも互いに固定接続されている。
逆に、容器が印刷表面としての機能を有するスリーブを備え、該スリーブ自体は伸縮性プラスチック製であり、ラベルを付すべき製品の周囲にスリーブの形態で設置できることも知られている。
一方がプラスチック製であり他方が紙または板紙製である二部品包装の再使用を可能にするため、二部品の分離をできる限り速く容易にする努力がなされてきている。その一つの方法は、前記の本出願人のドイツ国特許出願公開第39 21 258号に記載されている。
本発明が解決しようとする課題は、プラスチックコンテナーに、印刷可能で取外しの容易な板紙ジャケットを容易に取り付けることができるようにすることであった。本発明によれば、この課題を解決するための手段は、プラスチックコンテナーの底部から側壁にかけての遷移ゾーンに保持用ショルダーをなす係止用傾斜部が設けられており、板紙ジャケットが包囲スリーブをなし、これを係止用傾斜部上に押し込むことにより、使用状態において、該板紙ジャケットを保持用ショルダーどうしの間の位置に保持させるものである。
プラスチックジャケットまたは紙もしくは板紙スリーブを固定するこの方法は、スリーブをコンテナー自体に接着する必要がないが、その代りにコンテナーの物理的形状によって直接固定する。スリーブを係止用傾斜部上に押し込み、上部の保持用ショルダーを保持させると、スリーブはプラスチックコンテナーの表面の位置に保持され、該スリーブを紛失することがないようにすることができる。特にプラスチックコンテナーが丸い場合は、スリーブがプラスチックコンテナーの表面で該プラスチックコンテナーに対して回転しても構わない。
係止用傾斜部の傾きを、ジャケットで包囲されるプラスチックコンテナーの座りの良さにより変化させることができるということは明らかである。しかし、いずれにせよ、係止用傾斜部は、スリーブを係止用傾斜部上に押し込んだ場合に壊れないように形成しなければならない。更に、熱可塑性コンテナーは充分な弾性を有しており、スリーブの係止用傾斜部の上への押し込みを確実に困難なく行うことができる。
本発明の態様の一つは、プラスチックコンテナーの断面が非円形、即ち実質的に正方形または長方形であり、コンテナーのコーナー部分から離れた平坦な表面の領域に係止用傾斜部が設けられている。
係止用傾斜部がコンテナーの底部のコーナー部分に設けられていないことにより、板紙スリーブを所定位置に容易に押し込むことができる。
一定の弾性を得るため、紙または板紙スリーブに、刻線および／または溝を、使用状態においてコーナー部分を包囲する領域に設けることもできる。
本発明の別の態様では、コンテナーの底部が先細りになるかまたは丸みを帯びており、その円錐形状領域に係止用傾斜部が設けられており、この特別な形状により、紙または板紙製スリーブを係止用傾斜部上に押し込むというプロセスの重要な第１の部分を容易に行うことができる。
本発明の更に別の態様では、係止用傾斜部が、使用状態において、板紙スリーブの下縁部をわずかに越えて突出する鼻状突起または隆起状に設けられている。このような形状は種々の理由から有用であって、例えばスリーブが回転できるプラスチックコンテナーについては、プラスチックコンテナーを、例えばスリーブに設けられた開口部を通して、部分的に見えるようにしたり、スリーブを回して覆ったりすることができる。例えば、プラスチックコンテナーの一部を透明に形成して内容物が見えるようにすることもできる。この透明な領域はスリーブの窓を通して見ることもできるし、またはスリーブを回して覆うこともできるので、例えば広告効果などが得られる。
本発明の別の態様では、係止用傾斜部を、櫛のように配した複数の歯状突起として形成することもできる。
本発明の変更を加えた態様では、コンテナーの上部保持縁部の領域のスリーブにより覆われる側面の部分に、凹部がそれぞれ内向きに設けられており、スリーブは裏面に該凹部に対応するフラップを有してなる。
この変更した実施態様例は、特にスリーブをプラスチックコンテナー上に確実に保持し、スリーブがコンテナーの外表面上でずれたり回ったりすることを防止する（このことが場合により望ましいこともある）。
この態様の変更において、係止用傾斜部を、凹部の下側端が内方を向くようにして形成してもよい。この形状により、コンテナーの底部近くに設けられた係止用傾斜部を所望により省略することもできる。従って、スリーブをコンテナーの底部近くに位置させることができるだけでなく、必要な場合には、スリーブがコンテナーの底部を越えて立脚縁部をなすこともできる。しかし一般には、スリーブ端部をコンテナーの底部のすぐ上に位置させてよく、コンテナーが完全に包囲されたように見える。
本発明による提供される解決策の一般的利点は、種々の態様において、一般にスリーブがプラスチックコンテナーから完全に外れることがないということ、即ち、誤ったスリーブによりコンテナーの内容物が間違って認識される危険がなくなることである。
スリーブの取外しを容易にするために、スリーブの接着フラップの一部の外縁部に接着剤を付けない部分を残して、引き裂き用コーナー部を形成する。ユーザーにはこれが取り扱いフラップとして提示され、ユーザーがそこを掴んでスリーブの接着フラップの方へ引き裂くと、該スリーブは裂けながらコンテナーから分離する。
本発明の他の特徴、詳細および利点は、添付図面に基づく以下の記載により明らかになるであろう。
図１は、二部品を一体にはめ込む前の板紙スリーブおよびその上方のプラスチックコンテナーを示す。
図２は、スリーブに押し込んだプラスチックコンテナーを示す。
図３は、本発明の一実施態様例におけるスリーブを備えたプラスチックコンテナーの底部の断面図である。
図４は、本発明の別の態様例におけるプラスチックコンテナーの底部の外側部分の平面図である。
図５は、本発明のプラスチックコンテナー包装の変更を加えた態様例の側面図である。
図６は、図５のプラスチックコンテナーに使用する板紙スリーブの上部における立体図である。
図１および２において、符号１で全体を示すプラスチックコンテナー包装は、プラスチックコンテナー２と、両端が開口している板紙ジャケット３とからなる。接着フラップを図１において符号４で示す。
符号2aで示されるコンテナーの側壁から注出用開口部６を有する頂部５にかけての遷移ゾーンにおいて、プラスチックコンテナー２は周囲を囲む保持用ショルダー７を有する。側壁2aの方を向いた保持用ショルダー10を有する係止用傾斜部９は、図３および図４において符号８で示されるコンテナーの底部から側壁2aにかけての遷移ゾーンに設けられている。保持用ショルダー７および10の間隔はスリーブ３の全高よりも少し大きくしてあるので、スリーブ３を保持用ショルダー７および10の間の位置に押し込んだ後は、図２に示すように該スリーブ３を紛失することはない。
ここで、全周を取り囲むように示されている上部保持用ショルダー７を、保持用ショルダー10と同様のデザインとすることもできる。
図１および２に示す実施例において、プラスチックコンテナー２の符号11で示されるコーナー部分には係止用傾斜部９を設けておらず、これによりスリーブを所定位置に押し込むことが更に容易になる。
図３のように、符号10aで示される保持用ショルダーの形状を鼻状またはフック状として、これがスリーブ３の下側自由端3aを把持するようにしてもよい。
図４において係止用傾斜部を符号19aで、短い保持用ショルダーを符号10bで示すが、このように係止用傾斜部を櫛のように配した歯状突起として形成することもできる。
図１および図２における鎖線は、スリーブ３の刻線または溝12の領域により、スリーブ３を包装の使用状態に位置合わせする可能性を示しており、スリーブ３を取り付ける際にある程度伸張させ、同時にスリーブの同じ程度の収縮を確実に行わさせ、それでスリーブ３をコンテナー２の表面に確実に設置することができる。
本発明の別の態様を図５および図６に示す。図５および図６において符号1'で示されるプラスチックコンテナー包装は、図１にも示すように、内向きに形成された凹部13がプラスチックコンテナー2'の保持用ショルダー7'の下部に設けられている点を特徴とする。スリーブを紛失しないように確実に固定するため、スリーブ3'は上縁部または他の部分に折り畳まれたフラップ14を有する。図６においてフラップを符号14aで示す。このフラップは内側に折り畳まれており、凹部13上を通過すると、図５の上部左方角に示すように板紙の弾性により内側に迫り出す。
図示するように、凹部13の下縁部が保持用ショルダー10'を形成するように設計されているので、コンテナーの底部8'に保持用ショルダーを有する係止用傾斜部を設ける必要がない。
図５の底部左側コーナーに示すように、スリーブ3'をコンテナーの底部まで延長させて、特に包装が充分に包囲されているような視覚的印象を起こさせることができる。
図６も接着フラップ４の下側小さい部分に接着剤を付けない部分を残して、図５において符号15で示される引き裂き用コーナー部を形成している。
記載した本発明の態様例は、基本的概念から離れないならば、種々の点で変更を加えることができる。特に、本発明はプラスチックコンテナー２の特定の断面に限定されない。コンテナーは、図示したように、断面が正方形または長方形であってよい。断面は丸くてもよい。もっとも、断面が異なる湾曲をとることなどがあってもよい。
【図２】
0003633610.tif 000002
【図１】
0003633610.tif 000003
【図３】
0003633610.tif 000004
【図４】
0003633610.tif 000005
【図５】
0003633610.tif 000006
【図６】
0003633610.tif 000007